(57)【特許請求の範囲】
【請求項１】
ステータを保持する保持孔と、コイルが巻回されるコイル巻回部とを備え、筐体内に設けられる基板に取り付けられる時計用ボビンにおいて、
前記基板の筐体内での設置位置に応じて異なる高さ位置に形成され、前記基板の基板面に当接可能な複数の当接面を有し、前記基板の基板面と前記時計用ボビンとの相対的な高さ位置を選択的に規定する高さ位置規定手段と、
前記基板との相対的な高さ位置に応じて前記基板の裏面側と係合する複数の係合面を有し、前記基板に対する相対位置を拘束する係合手段と、
前記基板との相対的な設置位置に応じて前記基板の基板面と前記時計用ボビンとの相対的な水平方向位置を決定する位置決め用係合手段と
を有する時計用ボビン。
【発明の詳細な説明】
【０００１】
【発明の属する技術分野】
本発明は、たとえば、時計用ムーブメントに内蔵される時計用ボビンに関する。
【０００２】
【従来の技術】
たとえば、時計用ムーブメントでは、製造コストを低減する等のため、時計の仕様が異なっても、時計用ムーブメントの構成部品である歯車、受板、モータ等をできるだけ共通に使用したいという要請がある。
一方、時計用ムーブメントでは、時計の仕様が異なると、内蔵される構成部品が当然異なる。
たとえば、目覚し時計や振子付き時計用のムーブメントでは、歯車やモータ等の部品に加えて発音体や振子用コイルが組み込まれる。また、報時時計では、歯車やモータ等の部品に加えて毎正時にそれぞれの時刻に対応したコード信号を出力するための接点スイッチおよびこの接点スイッチを駆動する１２時間で一回転する時打車からなる接点機構が組み込まれる。
【０００３】
【発明が解決しようとする課題】
上記ムーブメントでは、ムーブメントに内蔵される発音体や振子用コイル、あるいは接点機構に応じて、モータを駆動する回路基板の取り付けられる高さ位置がムーブメントの筐体内でそれぞれ異なる。
一方、上記の回路基板にはモータのステータユニットを構成するコイルが巻回されるボビンが直接固定されるため、モータのロータカナに対する相対位置を一定に保つには、回路基板の位置に応じてボビンの取り付け位置を変更する必要があった。
このため、従来においては、目覚し時計や振子付き時計用のムーブメントと報時時計用のムーブメントとにおいて、車類やモータ等の部品を共通化するために、回路基板の位置に応じて取り付け位置の異なるボビンをそれぞれ別々に設計、製造していた。
【０００４】
本発明は、上述の問題に鑑みてなされたものであって、基板の設置位置が変わっても、共通使用できる時計用ボビンを提供することを目的とする。
【０００５】
【問題を解決するための手段】
本発明は、ステータを保持する保持孔と、コイルが巻回されるコイル巻回部とを備え、筐体内に設けられる基板に取り付けられる時計用ボビンにおいて、前記基板の筐体内での設置位置に応じて異なる高さ位置に形成され、前記基板の基板面に当接可能な複数の当接面を有し、前記基板の基板面と前記時計用ボビンとの相対的な高さ位置を選択的に規定する高さ位置規定手段と、前記基板との相対的な高さ位置に応じて前記基板の裏面側と係合する複数の係合面を有し、前記基板に対する相対位置を拘束する係合手段と、前記基板との相対的な設置位置に応じて前記基板の基板面と前記時計用ボビンとの相対的な水平方向位置を決定する位置決め用係合手段とを有する。
【０００８】
本発明では、高さ位置規定手段によって基板の設置位置に応じて時計用ボビンの位置が規定され、時計用ボビンは係合手段によって当該位置に拘束される。
これによって、基板の筐体内での設置位置が変わっても、時計用ボビンを筐体内で一定の高さ位置に設けることができ、異なる仕様のムーブメントでモータを共通に使用できる。
【０００９】
【発明の実施の形態】
以下に、本発明の実施の形態について図面を参照して説明する。
図１は、本発明の一実施形態に係る時計用ムーブメントの部品の組み立て構造を示す断面図であり、図２は図１のボビンを矢印Ａ方向から見た図であり、図３は図１のボビンを矢印Ｂ方向から見た図であり、図４は図１のボビンを矢印Ｃ方向から見た図であり、図５は図１のボビンを矢印Ｄ方向から見た図である。
【００１０】
図１において、ムーブメントの筐体５１上には、筐体５１の内面５１ａから高さＨA の位置に支持される実線で表された基板７１と、内面５１ａから高さＨB の位置に支持される２点鎖線で表された基板６１と、基板７１および基板６１のいずれか一方に固定されるステータユニット１１とを示している。
なお、基板７１または基板６１は、一方が筐体５１上に択一的に取り付けられる。
【００１１】
ムーブメントの筐体５１は、支持部５２を有しており、支持部５２には段部５２ａが形成されている。
支持部５２の段部５２ａの内面５１ａからの高さは、支持する基板７１または基板６１の高さ位置に応じて高さＨA または高さＨB に設定されている。
また、支持部５２は、図示しないが、一箇所ではなく複数箇所に設けられている。
【００１２】
基板７１は、ムーブメントの筐体５１の内面５１ａに近い側に支持される、たとえば、目覚し時計や振子付き時計用のムーブメントに用いられる回路基板である。
基板６１は、たとえば、報時時計用のムーブメントに用いられる回路基板であり、筐体５１の内面５１ａと基板６１との間には、たとえば、毎正時にそれぞれの時刻に対応したコード信号を出力するための接点スイッチおよびこの接点スイッチを駆動する１２時間で一回転する時打車からなる接点機構が組み込まれる。
このため、基板６１は、ムーブメントの筐体５１の内面５１ａから基板７１よりも高い位置に支持される。
【００１３】
ステータユニット１１は、ボビン１２と、ステータ４１と、コイル３１とを有する。
ステータユニット１１は、ステッピングモータの一部を構成しており、図示しないロータを回転させる。また、図５に示すように、ステータユニット１１は、ムーブメントの筐体に対して所定の位置に配設される歯車８１に対して所定の位置に設けられる。
ステータ４１は、軟磁性材料から形成された板状部材からなり、ボビン１２に形成された保持孔１７に挿入保持されている。
コイル３１は、ボビン１２のコイル巻回部１３に巻回されており、コイル３１の巻始めと巻終りは、基板７１または基板６１に接続される。
【００１４】
ボビン１２は、たとえば、プラスチック等の樹脂から形成されており、コイル３１が巻回されるコイル巻回部１３の中心部にステータ４１を保持するための保持孔１７が貫通している。
保持孔１７の一側部には、ステータ４１の一端部を係止する爪状に形成された係止部１４を有する。
ボビン１２の一端側の下面には、筐体５１の内面５１ａに対して垂直な方向に延びる融着用ボス部１６が形成されている。
【００１５】
ボビン１２の筐体５１の内面５１ａに対向する下面は、基板６１の基板面６１ａと当接可能な当接面２０となっている。
この当接面２０上には、ボビン１２の融着用ボス部１６の形成側の反対側には、筐体５１の内面５１ａに対して垂直な方向に形成された係合部１５が形成されている。
係合部１５は、図１に示すように、先端に傾斜面１５ｃを有する爪部１５ｄが形成されているとともに、高さ方向の異なる２か所に段差部が形成され、これらの段差部によって基板６１および基板７１にそれぞれ係合可能な係合面１５ｂ、１５ａが構成されている。
また、係合部１５の爪部１５ｄの幅は、図４に示すように、爪部１５ｄより上方の係合面１５ｂの幅よりも狭くなっている。
【００１６】
また、図３〜図５に示すように、ボビン１２の当接面２０上のボビン１２の両端側の４か所には、筐体５１の内面５１ａに向けて突出する突出部２１、２２、２３、２４が形成されている。
ボビン１２の長手方向の両側に形成された突出部２１と突出部２３とは同一形状を有しており、突出部２１と突出部２３の一側面側には、Ｗ字状に形成された位置決め用係合部２１ｂ、２１ｃと２３ｂ、２３ｃとがそれぞれ形成されている。
突出部２２はボビン１２の鍔部に形成され、また、突出部２４は融着用ボス部１６の基端部に形成されている。
これら突出部２１、２２、２３、２４の上面は、同一の高さとなっており、基板７１の基板面７１ａに当接可能な当接面２１ａ、２２ａ、２３ａ、２４ａを構成している。突出部２１、２２、２３、２４の当接面２１ａ、２２ａ、２３ａ、２４ａの高さは、基板７１が筐体５１に支持された状態で筐体５１の内面５１ａから基板７１までの高さＨA と、基板６１が筐体５１に支持された状態で基板６１までの高さＨB との差に等しくなっている。
【００１７】
図６は、上記の基板６１の一例を示す図であって、基板６１の裏面側から見た図である。
基板６１には、ボビン１２の突出部２１、２２、２３、２４がそれぞれ挿入可能な形状に形成された逃げ孔６３、６４、６５、６６と、筐体５１の支持部５２が嵌合挿入される挿入孔６７と、ボビン１２の係合部１５が挿入される挿入孔６２とが形成されている。
ボビン１２の係合部１５が挿入される挿入孔６２は、係合部１５の先端に形成された爪部１５ｄの幅に合致した幅に形成された切欠部６２ａを有する。
また、挿入孔６２の幅は、係合面１５ｂの幅に合致した幅に形成されている。
さらに、切欠部６２ａの両側は、係合面１５ｂとそれぞれ係合する係合面６１ｂとなっている。
【００１８】
逃げ孔６３および６５内には、突起状の係合部６３ａ、６５ａがそれぞれ形成されており、ボビン１２に形成された突出部２１と突出部２３の位置決め用係合部２１ｂ、２１ｃと２３ｂ、２３ｃとの一方に係合可能となっている。
位置決め用係合部２１ｂ、２１ｃおよび２３ｂ、２３ｃと、係合部６３ａ、６５ａとは、ボビン１２の基板上での位置が、たとえば、ステップ運針と連続運針の場合では異なるため、各仕様に合わせてボビン１２を基板に対する位置決めを行うために設けられており、ステップ運針の場合には位置決め用係合部２１ｂ、２３ｂが係合部６３ａ、６５ａに係合し、連続運針の場合には位置決め用係合部２１ｃ、２３ｃが係合部６３ａ、６５ａに係合する。
【００１９】
図７は、上記の基板７１の一例を示す図であって、基板７１の裏面側から見た図である。
基板７１には、ボビン１２の係合部１５が挿入される挿入孔７２と、ボビン１２の融着用ボス部１６が嵌合挿入される挿入孔７３と、筐体５１の支持部５２が嵌合挿入される挿入孔７４とが形成されている。
【００２０】
次に、基板７１および基板６１へのステータユニット１１（ボビン１２）の組み付け方法について説明する。
まず、基板６１へステータユニット１１のボビン１２を装着する。ボビン１２の融着用ボス部１６は、基板６１の逃げ孔６６に挿入され、融着用ボス部１６の基端部に形成された突出部２４が逃げ孔６６に嵌まる。同様に、ボビン１２の各突出部２１、２２および２３は、基板６１の逃げ孔６３、６４および６５にそれぞれ嵌まる。
【００２１】
一方、ボビン１２の係合部１５の爪部１５ｄは、基板６１の挿入孔６２に挿入され、ボビン１２を基板６１に押圧すると、挿入孔６２の切欠部６２ａの端面に係合部１５の爪部１５ｄの傾斜面１５ｃが接触し、係合部１５がたわむ。
係合部１５の爪部１５ｄが基板６１の挿入孔６２を通過して、係合部１５の係合面１５ｂが基板６１の下面から突出すると、係合部１５は元の状態に復元する。
【００２２】
この状態で、ボビン１２の下面である当接面２０は、基板６１の基板面６１ａに当接した状態となる。
また、係合部１５の係合面１５ｂは、基板６１の基板面６１ａの裏面に対向した状態となり、係合部６１ｂ、６１ｂと係合面１５ｂとが係合することにより、ボビン１２の係合部１５は基板６１から抜けなくなり、ステータユニット１１（ボビン１２）は基板６１に対して拘束される。
【００２３】
融着用ボス部１６は、先端部が基板６１の裏面から突出した状態にあり、この先端部を熱融解させて融着用ボス部１６を基板６１に融着する。
これによって、ボビン１２の基板６１への組み付けが完了する。
この状態から、筐体５１の支持部５２に基板６１を装着すると、ステータユニット１１（ボビン１２）は、図５に示した歯車８１に対して所定の位置に位置することになる。
【００２４】
基板７１へステータ１１のボビン１２を装着する場合には、ボビン１２の融着用ボス部１６は基板７１の挿入孔７３に挿入されるとともに、基板７１の基板面７１ａにボビン１２の各突出部２１、２２、２３、２４の当接面２１ａ、２２ａ、２３ａ、２４ａが当接する。
ボビン１２の係合部１５は、基板７１の挿入孔７２に挿入され、ボビン１２を基板７１に対して押圧すると、基板７１の挿入孔７２の端面に係合部１５の爪部１５ｄの傾斜面１５ｃが接触し、係合部１５がたわむ。
係合部１５の爪部１５ｄが基板７１の挿入孔７２を通過して、係合部１５の係合面１５ａが基板７１の下面から突出すると、係合部１５は元の状態に復元する。
【００２５】
この状態で、ボビン１２の係合部１５の係合面１５ａは、基板７１の基板面７１ａの裏面に対向した状態となり、ボビン１２の係合部１５は、基板７１から抜けなくなり、ボビン１２は基板７１に対して拘束される。
この状態では、上述したと同様に、融着用ボス部１６は先端部が基板７１の裏面から突出しており、融着用ボス部１６の先端部を基板７１の裏面に融着すると、基板７１へのボビン１２の組み付けが完了する。
【００２６】
この状態から、筐体５１の支持部５２に基板７１を装着すると、ステータユニット１１（ボビン１２）は筐体５１の内面５１ａに対して基板６１に組み付けたときと同じ高さに位置し、図５に示した歯車８１に対して所定の位置に位置する。
【００２７】
以上のように、本実施形態によれば、基板６１、７１が筐体５１に対して異なる高さ位置に支持されていても、ボビン１２を共通に使用することができ、ステータユニットも共通化できる。
このため、時計用ムーブメントの仕様が異なっても共通仕様できる部品が増加し、時計用ムーブメントのコストを低減することができる。
また、本実施形態では、基板６１の挿入孔６２に切欠部６２ａを形成しているため、ボビン１２の係合部１５のたわみ量を大きくすることなく、係合部１５の爪部１５ｃを挿入孔６２に挿入することができる。
なお、本実施形態では、ボビン１２に係合部１５および融着用ボス部１６を設けて基板６１または７１と融着することによって相対位置を固定する構成としたが、融着用ボス部１６を設ける代わりに係合部１５をもう一つ設け、基板６１、７１側に対応する挿入孔を形成することで、融着作業を行わなくてもボビン１２の位置を基板６１、７１に対して拘束することができる。
また、係合部１５を設ける代わりに融着用ボス部１６を設けることで、ボビン１２と基板６１または７１との相対位置を固定する構成とすることも可能である。
【００２８】
【発明の効果】
本発明によれば、基板の筐体内での設置位置が変わっても、時計用ボビンを筐体内で一定の高さ位置に設けることができ、異なる仕様のムーブメントでモータを共通に使用でき、製品のコストを低減することが可能となる。
【図面の簡単な説明】
【図１】本発明の一実施形態に係る時計用ムーブメントの部品の組み立て構造を示す断面図である。
【図２】図１のボビンを矢印Ａ方向から見た図である。
【図３】図１のボビンを矢印Ｂ方向から見た図である。
【図４】図１のボビンを矢印Ｃ方向から見た図である。
【図５】図１のボビンを矢印Ｄ方向から見た図である。
【図６】基板６１の構成例を示す図であって、基板６１を裏面側から見た図である。
【図７】基板７１の構成例を示す図であって、基板７１を裏面側から見た図である。
【符号の説明】
１１…ステータユニット
１２…ボビン
１５…係合部
１５ａ、１５ｂ…係合面
２０…当接面
２１、２２、２３、２４…突出部
２１ａ、２２ａ、２３ａ、２４ａ…当接面
３１…コイル
４１…ステータ
６１、６２…基板
８１…歯車
【図１】
0003675663.tif 000002
【図２】
0003675663.tif 000003
【図３】
0003675663.tif 000004
【図４】
0003675663.tif 000005
【図５】
0003675663.tif 000006
【図６】
0003675663.tif 000007
【図７】
0003675663.tif 000008